(57)【要約】【課題】引手を引戸デザインの中に一体融合させて外観的に引手そのものが表れないようにし、引手の危険性をなくすと同時に引戸デザインの質を高めることをその目的とする。【解決手段】引戸１は、部屋２の開口部３にスライドして開閉するように配設され、表裏に貫通するように設けられた採光窓４を有する引戸本体５と、該採光窓４の内周面に凹設された嵌合溝６に嵌め込まれた透光体７とで構成されている。手掛かり凹部９は透光体７の表裏両側にて、少なくとも床８から８０ｃｍ〜１２０ｃｍの範囲において、前記採光窓４の内周面に形成されている。【選択図】図３
2016003542.tif 000002
【特許請求の範囲】
【請求項１】
部屋の開口部にスライドして開閉するように配設され、表裏に貫通するように設けられた採光窓を有する引戸本体と、
該採光窓の内周面に凹設された嵌合溝に嵌め込まれた透光体とで構成され、
少なくとも床から８０ｃｍ〜１２０ｃｍの範囲において、透光体の表裏両側にて前記採光窓の内周面に手掛かり凹部が形成されていることを特徴とする引戸。
【発明の詳細な説明】
【技術分野】
【０００１】
本発明は、引手がデザインに溶け込んで表面に現れず、外観を極めてシンプルな近代的な意匠にすることが出来る引戸に関する。
【背景技術】
【０００２】
従来、引戸にはこれを開閉する必須のものとして引手が所定の場所に設けられている。引手には各種のものがあり、例えば、引戸の両側から手掛かり部材を取り付け、引戸を挟むようにして取り付けられるものや（特許文献１）、通し引手として長尺のアルミ材を引戸本体の端部に使用したものがある（特許文献２）。
【先行技術文献】
【特許文献】
【０００３】
【特許文献１】特開２０１４−３１６８３号公報
【特許文献２】特開２０１０−１９０６１号公報
【発明の概要】
【発明が解決しようとする課題】
【０００４】
引戸本体の材質は、一般的には後述する木質フラッシュ構造で、その表面に木目模様の化粧シートが貼着されており、これに対して引手の素材としては、樹脂や金属のものが多く、両素材の質感の相違から引戸本体と馴染まず外観的に引手が浮いたような感じになり看者に違和感を与える。特に、白色金属光沢のアルミ材を使用した場合、ケースにもよるが木質茶色系統を基本とする引戸の場合にはアルミ材が目立ってしまい、落ち着いた大人の感じを狙ったそのデザインを損なうようなこともあった。
【０００５】
更に、これも引手の形状に因るが、引戸本体から引手が出っ張っていると引手に子供がぶつかったり、物を移動させる時に不注意にもこれがぶつかることもあった。また、コスト面では、引手を設ける場合、引手そのものを用意しなければならないことに加えて、引手用の凹部や貫通孔を設けねばならないし、更には、生産時において、引手取付時に引戸表面に傷を付けてしまうことがあった。そして、引手を設けた場合には、引手が金属製の場合、冬季に接触時に温度差（低温）を感じさせたり、乾燥期に静電気による不快な感触を与えることもあるし、金属アレルギーを持つ人にはアレルギーを起こさせる原因ともなる。
【０００６】
本発明はこのような従来例の問題点を解決するためになされたもので、引手を引戸デザインの中に一体融合させて外観的に引手そのものが表れないようにして引戸デザインの質を高めると共に、副次的には出っ張った引手の危険性をなくすこと、引手が金属である場合には、これによる上記問題点を解消することをその目的とする。
【課題を解決するための手段】
【０００７】
請求項１に記載した引戸１は、
部屋２の開口部３にスライドして開閉するように配設され、表裏に貫通するように設けられた採光窓４を有する引戸本体５と、
該採光窓４の内周面に凹設された嵌合溝６に嵌め込まれた透光体７とで構成され、
少なくとも床８から８０ｃｍ〜１２０ｃｍの範囲において、透光体７の表裏両側にて前記採光窓４の内側面に手掛かり凹部９が形成されていることを特徴とする。
【発明の効果】
【０００８】
これに拠れば、透光体７の表裏両側にて前記採光窓４の内側面に手掛かり凹部９が形成されているので、この手掛かり凹部９を利用して引戸１を開閉することが出来、引戸本体５に従来例のような引手を特段設ける必要がない。それ故、引手によって損なわれていた外観を極めてすっきりとしたものとすることが出来るだけでなく、従来用いられていたような出っ張った引手による危険性、引手設置に伴うコストやデメリットも解消できる。
【０００９】
なお、この手掛かり凹部９が設けられる採光窓４は、図２(a)〜(d)のように縦方向に設けてもよいが、同図(e)のように、丸孔状のものを1乃至複数設けてもよい。そして、手掛かり凹部９は、図２(a)〜(d)の場合、透光体７の表裏両側にて採光窓４の内側面の全長に亘って形成してもよいが、通常、引手が設けられる床８からの高さ、８０ｃｍ〜１２０ｃｍの範囲に設ければ足る。また、同図(e)の場合では、手掛かり凹部９を有する丸形の採光窓４の少なくとも1つは、上記８０ｃｍ〜１２０ｃｍの範囲に設けられる。
【図面の簡単な説明】
【００１０】
【図１】本発明適用の引戸の一例を示す正面図である。
【図２】２Ａ〜２Ｃは本発明適用の引戸の他の例を示す正面図である。
【図３】(a)(b)は、図１のＸ−Ｘ断面矢視図である。
【図４】(a)(b)は、図１の他のＸ−Ｘ断面矢視図である。
【図５】図１の更に他のＸ−Ｘ断面矢視図である。
【発明を実施するための形態】
【００１１】
以下、本発明を図示実施例に従って説明する。引戸１は、図１に示すように、部屋２の床８から天井１０に届く背の高いもので、縦長の引戸本体５に表裏に貫通する縦方向の矩形の採光窓４が形成されている（図２(a)〜(d)）ものや、丸形の採光窓４が１乃至複数（ここでは上下方向に千鳥に設けられている（図２(e)))が形成されている。また、図示していないが、丸形の採光窓４に代えて正方形、長方形或いは菱形など矩形のものや、前述の縦方向の採光窓４に代えて横長としてもよい。そして、採光窓４は図１や図２(d)のように、引戸本体５の上端部および下端部に若干のスペースを残したものや、図２(a)〜(c)に示す引戸本体５の縦方向の全長にわたって採光窓４を設けたものなど様々なものがある。なお、図２(a)〜(c)のような縦方向全長にわたって採光窓４が形成される場合は、セパレートされた引戸本体５の各パーツ５ａは、その上端及び下端に架設された金属バー５ｂ、５ｃにて一体的に連結されている。
【００１２】
また、採光窓４の設置位置や形状はデザインよって決められ、以下は単なる例であるが、図１のように引戸本体５の左端や、図２(a)に示すように中央に形成したり、或いは図２(b)に示すように、引戸本体５を横幅方向で３分割し、縦長の２本の採光窓４を形成したり、更には図２(c)に示すように、引戸本体５の中央に幅広い採光窓４を形成したりすることもでき、縦長であれば自由に採光窓４を設けることができる。
【００１３】
また、図２(d)は、縦長の２本の採光窓４を上下に設けた例であり、図２(e)は、４個の丸形の採光窓４を上下方向に千鳥に設けたものである。この場合、採光窓４の数は限定されるものではないが、１個の場合は、手掛かり部凹部９が採光窓４に設けられる関係上、通常、引手が設けられる位置の上下、即ち、床８からの高さで、床８から８０ｃｍ〜１２０ｃｍの範囲に設けられる。複数の場合は、少なくともその１個がこの範囲に設けられる。
【００１４】
なお、縦長の採光窓４は、デザイン的には図面に示すように引戸本体５のほぼ全長或いは全長にわたって形成される例を示したが、勿論、これに限られず、図の場合より短くてもよく、いずれの場合でも、通常、引手が設けられる位置が床８からの高さで、床８から８０ｃｍ〜１２０ｃｍの範囲に設ければ足る。横長の採光窓は図示していないが、この場合も床８から８０ｃｍ〜１２０ｃｍの範囲に設けられる。
【００１５】
また、図１に示す引戸本体５（図２(d)(e)に示す引戸本体５や同図(a)〜(b)の各パーツ５ａ）は図３〜５に示すようなフラッシュ構造（横桟５ｅ・縦桟５ｄ等の枠体Ｗの両面に表面板５ｆである合板やＭＤＦ板などを接着した構造）で、引戸本体５の表裏両表面には図示しない化粧シートが貼着されている。
【００１６】
そして、図１の場合、採光窓４の内周面には全周にわたって嵌合溝６が凹設され（図２の場合は、少なくとも縦桟５ｄの内側面全長に亘って凹設され）ている。
【００１７】
透光体７は、無色又は有色で且つ透明又は半透明の透光性アクリル板の様な樹脂板や、無色又は有色で且つ透明又は磨りガラスのような半透明のガラス板で形成され、嵌合溝６に嵌め込まれ、採光窓４全体を覆う。表面に模様や天井方向から床方向に向かって次第に透光性が大になるようなグラデーションを付けるなどそのデザインは自由である。
【００１８】
手掛かり凹部９は、図３(a)の場合、透光体７の表裏両側にて、縦桟５ｄの内側面がその両表面から嵌合溝６に向かって嵌合溝６側に傾斜しており、この傾斜部分が該当する。手掛かり凹部９となるこの傾斜部分は、透光窓４において対向する縦桟５ｄの両面の全長にわたって形成しても好いが、取手が設けられる、少なくとも床８から８０ｃｍ〜１２０ｃｍの範囲において形成してもよい。
【００１９】
図３(b)の場合は、枠体Ｗの両面に貼着される表面板５ｆの端部の内面側を上下方向全長に亘って周知のＶカットを行い、巻き込みで手掛かり凹部９となる傾斜部分を形成する。
【００２０】
図４(a)の場合は、縦桟５ｄの両面に接着された表面板５ｆ（煩雑を避けるためこの部分のハッチングせず）の端部が前述同様上下方向全長に亘って周知のＶカットを行い、内側に折り曲げられ、透光体７の表裏両側にて、この折り曲げ部分が縦桟５ｄの内側面に接して開閉時の指掛けとなる凸条５ｇとなり、透光体７の表裏両側にて、縦桟５ｄの内面が手掛かり凹部９に該当する。このような凸条５ｇは、表面板５ｆの全長に亘って形成されるため、図２(a)〜(c)に適用される。
【００２１】
図４(b)の場合は、図４(a)の場合において、縦桟５ｄの手掛かり凹部９の全体に化粧板５ｉが貼り付けられている場合である。
【００２２】
図５の場合は、透光体７の表裏両側にて、縦桟５ｄの内面両面に接着されたモール５ｈの内面に手掛かり凹部９が形成された場合である。この例では、モール５ｈは、図１〜図２(d)において、縦桟５ｄの内側面から外面の採光窓４側の縁部を覆うように接着面がＬ形に形成されている。モール５ｈは採光窓４の全長にわたって貼着されるため、図１の場合でも、図２(a)〜(d)の場合でも適用可能である。手掛かり凹部９はモール５ｈの全長にわたって形成してもよいが、勿論、これに限られず、取手が設けられる、少なくとも床８から８０ｃｍ〜１２０ｃｍの範囲において形成してもよい。
【００２３】
図２(e)は前記の場合と異なり、丸形の透光窓４が形成された場合で、モール５ｈは透光窓４に合わせて丸形で、全周に亘って手掛かり凹部９が形成される。透光窓４は前述のように、１乃至複数設けられ、その内の１つは少なくとも床８から８０ｃｍ〜１２０ｃｍの範囲に設けられる。
【００２４】
しかして、図１のように、壁１１に沿ってその天井１０に設置されたレール１２に引戸１を往復走行自在に吊下げ、壁１１に設けられた開口部３を吊り戸方式で開閉する。引戸１の設置構造はこのような形式のものに限られず、図示していないが、床８にレールを敷設した従来の引き戸方式のようなものでもよい。以下、吊り戸方式で説明する。
【００２５】
開口部３の上部には天井１０から垂設された垂れ壁１３が設けられており、戸閉の場合、図１の手前側の部屋２（例えば、応接室）から垂れ壁１３が見えないように引戸１が設置されている。引戸１を開く場合、採光窓４に臨む右側の縦桟５ｄの内側面に形成された手掛かり凹部９に指を掛け、開戸方向に力を加えると引戸１はレール１２に沿ってスムーズに開く。閉じる場合は、逆に左側の縦桟５ｄの内側面に形成された手掛かり凹部９に指を掛け、閉戸方向に力を加えると引戸１はレール１２に沿ってスムーズに移動し開口部３を閉じる。
【００２６】
手掛かり凹部９が縦桟５ｄ（或いはモール５ｈ）の全長にわたって形成されている場合、背の高さに応じて適所の手掛かり凹部９を利用して開閉することができる。しかし、床８から８０ｃｍ〜１２０ｃｍの範囲において設けられている場合でも通常の引戸開閉には差支えを生じることはない。このように手掛かり凹部９を縦桟５ｄ（或いはモール５ｈ）に設けると、取手が意匠に溶け込んでしまい、引戸１の外観が非常にシンプルなものとなりそのクオリティーを高める。加えて、従来の取手が不要となり、これが出っ張ているような場合、これに強く接触するようなこともあったが、上記のように引手が外に現れないためこのようなことがない。また、そもそも引手を有しないために引手に関するコストの削減や製造時或いは使用時の引手に関するトラブルも解消される。
【符号の説明】
【００２７】
Ｗ：枠体、１：引戸、２：部屋、３：開口部、４：採光窓、５：引戸本体、５ａ：パーツ、５ｂ・５ｃ：金属バー、５ｄ：縦桟、５ｅ：横桟、５ｆ：表面板、５ｇ：凸条、５ｈ：モール、５ｉ：化粧板、６：嵌合溝、７：透光体、８：床、９：手掛かり凹部、１０：天井、１１：壁、１２：レール、１３：垂れ壁。
【図３】
2016003542.tif 000003
【図４】
2016003542.tif 000004
【図５】
2016003542.tif 000005
【図１】
2016003542.tif 000006
【図２】
2016003542.tif 000007